(57)【要約】【課題】  撮像素子が傾いて配設された場合でもファインダ装置で確認した通りに被写体像を撮影することを可能にした一眼レフカメラのファインダ装置を提供する。【解決手段】  撮影レンズで結像した被写体像を撮影することが可能な一方で被写体像をファインダ装置において視認可能にした一眼レフカメラであって、ファインダ装置に設けられたファインダ視野枠１１はファインダ光軸を中心にして回転角度位置の調整を可能とする。ファインダ視野枠１１の回転位置を調整することで、ファインダ視野枠１１と撮像素子の傾きを一致させ、ファインダ装置で視認されたと同じ傾き状態の撮影画像を得ることが可能になり、撮影者に違和感を生じることがなくなる。【選択図】  図６
2006065013.tif 000002
【特許請求の範囲】
【請求項１】
撮影レンズで結像した被写体像を撮影することが可能な一方で前記被写体像をファインダ装置において視認可能にした一眼レフカメラであって、前記ファインダ装置に設けられたファインダ視野枠はファインダ光軸を中心にして回転角度位置の調整が可能であることを特徴とする一眼レフカメラのファインダ装置。
【請求項２】
前記ファインダ視野枠を支持しているカメラボディ部材には、ファインダ光軸を中心とした円弧上に配置されて前記ファインダ視野枠の一部に当接してファインダ視野枠の回転をガイドするためのガイド部を備えていることを特徴とする請求項１に記載の一眼レフカメラのファインダ装置。
【請求項３】
前記カメラボディ部材には前記ファインダ視野枠上にペンタプリズムが固定支持されており、前記ファインダ視野枠は前記ペンタプリズムによって前記カメラボディ部材との間に挟持されており、前記ペンタプリズムの固定を緩めた状態で前記ファインダ視野枠の回転位置を調整可能にしていることを特徴とする請求項１又は２に記載の一眼レフカメラのファインダ装置。
【請求項４】
前記ファインダ視野枠には前記ペンタプリズムが固定されている領域から外方に突出されてファインダ視野枠を回転させるための調整片が一体に設けられていることを特徴とする請求項３に記載の一眼レフカメラのファインダ装置。
【請求項５】
前記ファインダ視野枠はファインダ装置内に表示する文字や記号等の表示情報を生成する表示ブロックを一体的に有していることを特徴とする請求項１に記載の一眼レフカメラのファインダ装置。
【請求項６】
前記表示ブロックは少なくとも一対のネジ手段によりカメラボディ部材に固定され、少なくとも一つのネジの締結状態に応じて前記カメラボディ部材に対するファインダ視野枠の回転角度位置を調整可能にしたことを特徴とする請求項５に記載の一眼レフカメラのファインダ装置。
【請求項７】
前記表示ブロックは表示情報を生成する表示装置と、この表示装置を前記ファインダ視野枠に一体的に固定するとともに前記カメラボディ部材に固定するための固定板とを備え、前記固定板を弾性材で構成して前記カメラボディ部材に対して弾性力をもって接した状態で前記ネジにより固定されることを特徴とする請求項６に記載の一眼レフカメラのファインダ装置。
【請求項８】
前記被写体像をＣＣＤ素子、ＣＭＯＳ素子等の撮像素子で撮影することを特徴とする請求項１ないし７のいずれかに記載の一眼レフカメラのファインダ装置。
【請求項９】
前記被写体像を銀塩フィルムで撮影することを特徴とする請求項１ないし７のいずれかに記載の一眼レフカメラのファインダ装置。
【発明の詳細な説明】
【技術分野】
【０００１】
本発明は一眼レフカメラのファインダ装置に関し、特にファインダ装置で確認するファインダ像と実際に撮影する撮影像との傾きを一致させたファインダ装置に関するものである。
【背景技術】
【０００２】
一眼レフカメラは撮影レンズで結像した被写体像をファインダ装置において視認しながら銀塩フィルに対して露光を行い、あるいはＣＣＤやＣＭＯＳ等の撮像素子で撮像する。ファインダ装置はメインミラーで反射されてピントガラスに結像された被写体像をファインダ光学系により拡大して撮影者が視認する構成となっている。そのため、撮像素子を備えるデジタル一眼レフカメラにおいては、撮像素子が当該光軸回り方向に傾いて設けられた場合のように、ファインダ装置に対して撮像素子が相対的に傾いている場合には、撮像素子で撮像された被写体像をモニタ装置で視認したとき、あるいはプリントしたときに初めて実際に撮影した被写体像がファインダ装置で確認した被写体像に対して傾いて撮影されていることに気がつくことになる。また、ファインダ装置側、特にメインミラーやペンタプリズムに傾きがある場合にはファインダ像が傾くことになり、このファインダ像を基準に撮影を行った場合には撮像素子で撮影した被写体像が傾いてしまうことになる。
【０００３】
このように撮像素子とファインダ装置との間に被写体像の傾きの差が生じているため撮像素子で撮像した被写体像に傾きが発生する。特に一眼レフカメラでは、ファインダ装置のピントガラスに結像した被写体像を確認して撮影を行うが、その際の被写体像はピントガラスに付設されているファインダ枠の縦辺や横辺を基準にして被写体像が所定の正立状態となるようにして撮影を行っているため、撮像素子とファインダ装置との間に生じている傾きの差がそのまま撮像素子で撮影される被写体像に前述のような傾きが生じることになる。なお、銀塩フィルムを使用する一眼レフカメラの場合にも、ファインダ装置が傾いていた場合にはフィルムに撮影される被写体像が傾いて撮影されるため同様な問題が生じることになる。
【０００４】
このような撮像素子の傾きを調整することが必要になるが、一眼レフデジタルカメラではカメラを組み立てた後に撮像素子を露呈状態とすることは難しいため、撮像素子を露呈させた状態で行う必要がある撮像素子の傾きを調整することは極めて難しい。また、メインミラーやペンタプリズムの傾きを調整するときには、これらのメインミラーやペンタプリズムは光を反射して被写体像の方向を変化させる手段であるため、被写体像の傾きを調整するには三次元的な方向の調整が必要となり、調整作業は極めて困難である。
【０００５】
撮影した被写体像の傾きの問題に対しては特許文献１では、重力方向センサからの重力方向に基づいてカメラの傾きを検出し、検出した傾きに基づいて撮像素子で撮影した被写体像の撮像信号を信号処理してカメラが傾いた分を補正し、適正な撮影画像を得ている。
【特許文献１】特開２００３−２１９２３９号公報
【発明の開示】
【発明が解決しようとする課題】
【０００６】
特許文献１の技術はカメラの傾きを検出するものであり、前述のようにカメラ内に配設した撮像素子の傾き、あるいはファインダ装置と撮像素子との傾きの差によって被写体像を傾いた状態に撮影してしまうという問題を改善するものではない。したがって、意図的にカメラを傾斜した状態で撮影した場合には目的とする撮影画像を得ることができない場合がある。また、重力方向センサや信号処理回路が必要であり、カメラのコスト高をまねく要因となる。
【０００７】
本発明の目的は、撮像素子が傾いて配設された場合のように撮影した画像がファインダで視認したときと異なる状態で撮影が行われる場合でも、ファインダ装置で確認した通りに被写体像を撮影することを可能にした一眼レフカメラのファインダ装置を提供するものである。
【課題を解決するための手段】
【０００８】
本発明は、撮影レンズで結像した被写体像を撮影することが可能な一方で被写体像をファインダ装置において視認可能にした一眼レフカメラであって、ファインダ装置に設けられたファインダ視野枠はファインダ光軸を中心にして回転角度位置の調整が可能であることを特徴とする。また、本発明においては、ファインダ視野枠はファインダ装置内に表示する文字や記号等の表示情報を生成する表示ブロックを一体的に有する構成としてもよい。
【発明の効果】
【０００９】
本発明によれば、ファインダ視野枠の回転位置を調整することで、ファインダ視野枠と撮像素子や銀塩フィルム等に撮影される被写体像との傾きを一致させることができ、ファインダ視野枠の視野窓内で視認されたと同じ傾き状態で撮影画像を得ることが可能になり、撮影者が撮影したモニタ装置に表示される被写体像がファインダ視野枠内で視認した被写体像と異なる傾き状態になる等の違和感を生じることがなくなる。また撮像素子、メインミラー、ペンタプリズム等のの傾きを三次元的に調整する必要もなく、傾き調整を容易に行うことが可能になる。
【００１０】
また、表示ブロックをファインダ視野枠と一体化することにより、表示ブロックで表示される表示情報は常にファインダ視野枠の表示窓に対して正立した状態にあり、ファインダ視野枠を傾けたときには当該ファインダ視野枠の傾きに追従して傾くことになり、ファインダを視認したときに違和感を感じることがなく、また表示情報の一部が見えなくなるようなこともない。
【発明を実施するための最良の形態】
【００１１】
ファインダ視野枠の回転角度位置を調整するための構成として、ファインダ視野枠を支持しているカメラボディ部材には、ファインダ光軸を中心とした円弧上に配置されてファインダ視野枠の一部に当接してファインダ視野枠の回転をガイドするためのガイド部を備えることが好ましい。また、カメラボディ部材にはファインダ視野枠上にペンタプリズムが固定支持されており、ファインダ視野枠はペンタプリズムによってカメラボディ部材との間に挟持されており、ペンタプリズムの固定を緩めた状態でファインダ視野枠の回転位置を調整可能にする構成とする。さらに、ファインダ視野枠にはペンタプリズムが固定されている領域から外方に突出されてファインダ視野枠を回転させるための調整片が一体に設けられることが好ましい。
【００１２】
また、ファインダ視野枠に一体に設けられる表示ブロックは少なくとも一対のネジ手段によりカメラボディ部材に固定され、少なくとも一つのネジの締結状態に応じてカメラボディ部材に対するファインダ視野枠の回転角度位置を調整可能にすることが好ましい。例えば、表示ブロックは表示情報を生成するＬＣＤ等の表示装置と、この表示装置をファインダ視野枠に一体的に固定するとともにカメラボディ部材に固定するための固定板とを備え、固定板を弾性材で構成してカメラボディ部材に対して弾性力をもって接した状態でネジにより固定される構成とする。
【実施例１】
【００１３】
次に、本発明の実施例を図面を参照して説明する。図１は本発明をデジタル一眼レフカメラに適用した実施例の外観斜視図であり、カメラボディ１の前面にはレンズマウント２が設けられ、図には表れない撮影レンズが着脱可能とされている。また、カメラボディ１の上面にはレリーズボタン３、表示装置４、モードダイヤル５等が配設されている。さらに、図には表れないが前記カメラボディ１の後面には撮影する被写体像あるいは撮影した被写体像を表示するためのＬＣＤ装置からなるモニタ装置が配設されている。
【００１４】
図２は前記カメラボディ１の内部に設けられるカメラボディ部材の一つとしてのミラーボックス６の外観斜視図、図３は図２の光軸に沿った縦断面図である。ミラーボックス６は後板７Ｂと底板７Ｄを有する高剛性の金属板からなるメインプレート７に支持されており、当該ミラーボックス６の前面にレンズマウント２が固定されている。前記ミラーボックス６の後面側にはシャッタ装置８が配設され、さらにその後方には前記メインプレート７の後板７Ｂに取着された撮像素子、ここではＣＣＤ装置９が配設されている。前記ミラーボッスク６の上面にはピントガラス１０が配設され、その上にはファインダ視野枠１１及びペンタプリズム１２が配設され、当該ペンタプリズム１２の後面側には接眼レンズ構体１３が配設されている。また、前記接眼レンズ構体１３の直下位置の前記ミラーボックス６にはファインダ視野内に撮影時に必要とされる各種の情報（以下、ここでは表示情報と称する）を表示するための表示ブロック１４が配設されている。本実施例ではこれらピントガラス１０、ファインダ視野枠１１、ペンタプリズム１２、接眼レンズ構体１３、及び表示ブロック１４（図３参照）でファインダ装置を構成している。さらに、前記ミラーボックス６の内部には上下方向に回動されるメインミラー１５が配設されている。なお、前記ミラーボックス６に設けられている測光装置や測距装置等についてはここでは本発明との関連が薄いので図示及び説明は省略する。
【００１５】
以上のミラーボックス６を含むカメラの基本構成については従来の構成と同じであるので詳細な説明は省略するが、図外の撮影レンズで結像した被写体像はメインミラー１５で反射されてピントガラス１０に結像され、結像された被写体像はペンタプリズム１２で反射されて左右逆像に変換され、接眼レンズ構体１３で光学的に拡大されて撮影者が視認することができる。また、レリーズ時にメインミラー１５が上方に回動すると、撮影レンズで結像された被写体像はシャッタ装置８が開いたときにＣＣＤ装置９の撮像面に結像され、被写体像の画像信号が出力されるようになっている。
【００１６】
図４は前記ミラーボックス６の後面側における構成の部分分解斜視図であり、前記メインプレート７の後板７Ｂの前面に前記シャッター装置８が固定支持され、当該後板７Ｂの後面に前記ＣＣＤ装置９が固定支持されている。このＣＣＤ装置９は既に本願出願人によって提案している構成であるので詳細な説明は省略するが、親板９１にＣＣＤ素子９２とＬＰＦ（ローパスフィルタ）ブロック９３が一体に組み立てられており、前記親板９１が図には表れないネジ等により複数箇所において前記後板７Ｂに固定支持されている。前記ＣＣＤ素子９２は後面が親板９１の前面に当接され、親板９１に設けられた接着窓９１１から接着剤が注入されて接着されるとともに、調整穴９１２に螺合される図外の調整ネジによって親板９１に対する取付姿勢が調整される。また、親板９１のスリット９１３を透してＣＣＤ素子９２のリード電極９２１が挿通される。前記ＣＣＤ素子９２の受光面がカバーガラス９２２により保護されているが、当該受光面がＣＣＤ装置９の撮像面となっており、そのため後板７Ｂに親板９１を固定支持する際の組み立て誤差によって後板７Ｂに対して親板９１が傾いて取り付けられると、この傾きがそのままＣＣＤ素子９２における傾きになる。なお、ＬＰＦブロック９３は枠体９３１にＬＰＦ９３２が支持されている。
【００１７】
図５は前記ミラーボックス６の上面における構成の部分分解斜視図であり、前記ピントガラス１０はミラーボックス６の上面に設けられた枠部６１で囲まれる矩形の開口領域内に保持枠１０１により支持されており、当該保持枠１０１を介して前記ミラーボックス６の上面にほぼ水平状態に支持される。前記保持枠１０１は３つの角部に支持片１０２が一体に設けられており、これらの支持片１０２は前記ミラーボッスク６の上面にネジ１０３により固定されるが、当該上面と支持片１０２との間に弾装されたコイルバネ１０４の弾性力によって垂直方向（上下方向）の固定位置（高さ）が調整でき、この調整によってピントガラス１０の水平方向に対する傾きが調整可能とされている。
【００１８】
前記ピントガラス１０の上方位置には、前記ミラーボックス６の枠部６１上に掛け渡されるようにファインダ視野枠１１が載置され、さらにその上にペンタプリズム１２が載置される。前記ペンタプリズム１２は前記ミラーボックス６の上面の左右位置にそれぞれ上方に向けて突出形成されたステム６２に各外側から螺合する固定ネジ１２１によってミラーボックス６に固定される。すなわち、両固定ネジ１２１が左右から先端方向に向けて螺進されてその先端がペンタプリズム１２の屋根型をした両側の傾斜頂面に貼り付けたパッド１２ａに当接することで、両固定ネジ１２１の当接面に生じる下方向への分力によってペンタプリズム１２が下方に押圧され、このペンタプリズム１２の下面と前記ミラーボックス６の前記枠部６１との間に前記ファインダ視野枠１１を挟持した状態で支持される。さらに、前記ペンタプリズム１２の後面に対応する前記ミラーボックス６の後面の上部には複数のレンズを一体的に組み立てた前記接眼レンズ構体１３が固定され、前記ペンタプリズム１２を透して前記ピントガラス１０に結像された被写体像を拡大して視認することができる。
【００１９】
図６は前記ファインダ視野枠１１とミラーボックス６の上面部の概略構成を示す斜視図である。前記ファインダ視野枠１１は不透光の薄い板材で構成され、前記ＣＣＤ装置９で撮像する被写体範囲に対応した所要寸法の矩形の視野窓１１１が開口されるとともに、この視野窓１１１の後辺に沿った領域には撮影に際してファインダの視野内に表示することが好ましい文字や記号等の表示情報を表示するための横に細長い表示窓１１２が開口されている。また、前記ファインダ視野枠１１の前辺の両側に近い２箇所には、前方に向けてガイド片１１３がそれぞれ突出されている。これらのガイド片１１３の先端縁は前記視野窓１１１の中心、換言すれば撮影レンズの光軸がメインミラーによって反射されて生じるファインダ光軸を中心とする所要半径の円弧となるように形成されている。また、これらガイド片１１３の先端縁は前記ミラーボックス６の上面の前側寄りの領域の左右２箇所に上方に突出するように形成された一対のガイドリブ６３の内面に当接されている。これらのガイドリブ６３はミラーボックス６の上面においてファインダ光軸を中心として前記ガイド片１１３と同じ半径の円弧面として形成されている。さらに、前記ファインダ視野枠１１の前面側から見た右辺には調整片１１４が右方向に突出形成され、ミラーボックス６の上部の正面から見て右側面に前後方向に形成されたスリット６５を通して右方に突出されている。この調整片１１４の先端は前記ペンタプリズム１２が載置されている領域よりも右方向に延出されており、その先端には図には表れない調整治具の先端部を嵌入することが可能な調整穴１１４ａが開口されている。
【００２０】
この構成によれば、カメラの組み立て時には、ミラーボックス６の上面部に前述したようにピントガラス１０を固定支持した上で、ミラーボックス６の枠部６１上にファインダ視野枠１１を載置する。ファインダ視野枠１１は左右の両縁部が枠部６１によって支承され、これら枠部６１に掛け渡された状態で支持され、同時に調整片１１４がスリット６５を挿通される。さらにその上にペンタプリズム１２を載置し、その上で固定ネジ１２１を締結し、ペンタプリズム１２を下方に押圧してその下面と枠部６１との間にファインダ視野枠１１を挟んだ状態で固定支持される。
【００２１】
この実施例１のカメラにおいて、仮にＣＣＤ装置９が図８（ａ）のように角度θｘだけ傾いており、ファインダ視野枠１１が傾いていないとする。このときには、ファインダ視野枠１１を基準にして被写体を撮影すると、ＣＣＤ装置９では被写体を傾斜した状態に撮影してしまい、図外のモニタ装置には撮影した被写体が傾斜した状態で表示されることになり、撮影者に違和感を生じさせる。これを回避するために、カメラの組立工程においては、カメラを垂直に向けた正立状態に設置した上で所定のテストパターンを撮影する状態にし、ＣＣＤ装置９で撮影したテストパターンをモニタ装置に表示する。このモニタ装置に表示されるテストパターンの上下、左右の方向を測定することでメインプレートに固定したＣＣＤ装置９の傾きを確認することができる。そして、このＣＣＤ装置９の傾きに対応して、ファインダ視野枠１１の視野窓内に視認される被写体像の傾きがモニタ装置に表示されるテストパターンの傾きと同じ傾きとなるようにファインダ視野枠１１の傾き調整を実行する。
【００２２】
このようにカメラの組み立てを行うに際し、ＣＣＤ装置９の傾き角度を測定し、測定した傾き角度に対応するようにファインダ視野枠１１の傾きを調整するが、このファインダ視野枠１１の傾きを調整する際には、ペンタプリズム１２を押圧支持している固定ネジ１２１を若干緩め、ファインダ視野枠１１に対する下方への押圧を緩めた状態で調整治具を調整片１１４の調整穴１１４ａに嵌入し、調整治具を移動させて調整片１１４をカメラのほぼ前後方向に微小寸法だけ位置調整する。これによりファインダ視野枠１１は一対のガイド片１１３の先端縁がそれぞれガイドリブ６３の内面に沿って案内されながら枠部６１の上面上で平面方向に移動される。この移動では、ガイド片１１３の先端縁とガイドリブ６３の内面がそれぞれファインダ光軸を中心とした円弧として形成されているため、ファインダ視野枠１１は自身の平面内でファインダ光軸を中心として回転移動されることになり、これによりファインダ視野枠１１の回転角度位置、すなわちファインダ視野における傾きを二次元的に調整することが可能になる。
【００２３】
図７は回転角度調整の動作を説明するための図であり、ペンタプリズムを取り外した状態の平面図である。図７（ａ）の状態はファインダ視野枠１１が垂直な状態、すなわち傾きがゼロの場合である。この状態からファインダ視野枠の調整片１１４を図示の上方に移動させるとファインダ視野枠１１は同図（ｂ）のように反時計回り方向に回転移動されて左方向に傾けられる。調整片１１４を図示の下方に移動させるとファインダ視野枠１１は同図（ｃ）のように時計回り方向に回転移動されて右方向に傾けられる。傾きを調整した後は、固定ネジ１２１を締結してペンタプリズム１２を枠部６１の上面に向けて押圧すれば、ファインダ視野枠１１を枠部６１に対してペンタプリズム１２で押圧挟持して固定支持を行うことが可能であることは前述の通りである。
【００２４】
このようにして、図８（ｂ）に示すように、ファインダ視野枠１１の傾き角度θｘをＣＣＤ装置９のとの傾きが一致することになり、ファインダ視野枠１１の視野窓１１１内で視認されたと同じ傾き状態でＣＣＤ装置９による撮影が可能になる。したがって、撮影者が撮影したモニタ装置に表示される被写体像がファインダ視野枠１１内で視認した被写体像と異なる傾き状態になるという違和感を生じることがなくなる。またＣＣＤ装置９の傾きを調整する必要がないとともに、メインミラー１５やペンタプリズム１２の傾きを三次元的に調整する必要もなく、傾き調整を容易に行うことが可能になる。
【００２５】
ここで、前記ガイドリブ６３及び前記ガイド片１１３はミラーボックス６に対してファインダ視野枠１１をファインダ光軸を中心にして回転移動させる際のガイドとして機能するものであるので、同じ機能を有する構成であればかかる構成に限られるものではない。例えば、ファインダ視野枠の一部にファインダ光軸を中心にした円弧溝を形成し、ミラーボックスには当該円弧溝に嵌入してファインダ視野枠の回転をガイドさせるガイド突起を設けた構成することも可能である。
【実施例２】
【００２６】
図９は本発明の実施例２の要部の部分分解斜視図である。なお、実施例１と同じ部分には同一符号を付してある。ミラーボックス６の前面にレンズマウント２が固定され、ミラーボックス６の上面にピントガラス１０、ファインダ視野枠１１、ペンタプリズム１２、接眼レンズ構体１３及び表示ブロック１４からなるファインダ装置が配設され、ミラーボッスク６内にメインミラー１４が配設されていることは実施例１と同じである。また、図には表れないが図４と同様にミラーボックス６の後面側にシャッター装置８及びＣＣＤ装置９が配設されている。ここで、ファインダ装置において、ピントガラス１０およびこれをミラーボックス６に固定する構造と、その上側においてペンタプリズム１２をミラーボックス６に固定支持する構造と、当該ペンタプリズム１２の後側において接眼レンズ構体１３をミラーボックス６に固定する構造は実施例１と同じであるが、ファインダ視野枠１１及び表示ブロック１４の構造が実施例１とは相違しており、ここでは表示ブロック１４をファインダ視野枠１１と一体的に構成したことが特徴とされている。
【００２７】
図１０は前記ファインダ視野枠１１および表示ブロック１４の分解斜視図である。ファインダ視野枠１１は実施例１と同様に視野窓１１１と表示窓１１２を有しており、かつ前辺には一対のガイド片１１３を突出形成しているが、右辺には実施例１のような調整片は設けられていない。また、ファインダ視野枠１１の後辺には後方に向けて突出し、かつ先端を下方に屈曲されたブロック支持片１１５を一体に有しており、このブロック支持片１１５によって表示ブロック１４が一体的に固定支持されている。
【００２８】
表示ブロック１４は前記ファインダ視野枠１１の表示窓１１２に対応する寸法、形状の表示面を有する横長の小型のＬＣＤ装置（液晶表示装置）１４１と、このＬＣＤ装置１４１を前後に挟んでミラーボックスに固定するための前面固定板１４２及び後面固定板１４３と、ＬＣＤ装置１４１の表示面から出射される光を直角上方に屈折するための直角プリズム１４４とで構成される。前記後面固定板１４３はＬＣＤ装置１４１よりも横に長く形成され、その両端部１４３ａにおいて小ネジ１４５によって前記ミラーボックス６の上部背面側に固定される。前記前面固定板１４２は前記ＬＣＤ装置１４１の表示面を除く周縁部を覆うようにして前記後面固定板１４３に一体化される。ここでは前記前面固定板１４２の上下辺に沿って形成された複数の凹部１４２ａに前記後面固定板１４３の上下辺に沿って形成した複数の嵌合片１４３ｂを嵌合させることで一体化されており、この一体化によって前記ＬＣＤ装置１４１を後面固定板１４３との間に挟持する。また、前記後面固定板１４３は板厚方向に弾性変形性を有する薄い金属板で構成されており、特にその両端部１４３ａは板厚方向に若干傾斜した状態で後面側に向けて曲げ形成されている。前記直角プリズム１４４は直交する面の一方を前記ＬＣＤ装置１４１の表示面に向け、他方を上方に向けた状態で両端に設けられた支持片１４４ａによって前記前面固定板１４２に固定されている。
【００２９】
そして、図１１に拡大図示するように、前記表示ブロック１４を前記ファインダ視野枠１１のブロック支持片１１５とカシメ等によって連結することで当該ファインダ視野枠１１に一体化させる。その上で、前記後面固定板１４３の両端部１４３ａをミラーボックス６の背面の上部に設けたボス６４に小ネジ１４５で締結し、固定する。組み立てられたファインダ視野枠１１は、前記ピントガラス１０の上方においてミラーボックス６の上面の枠部６１上にほぼ水平状態に支持されることは実施例１と同じである。このとき、図３にも示したように、前記直角プリズム１４４の上方に向けられた面は前記ファインダ視野枠１１の下面側から表示窓１１２に対向位置され、さらにペンタプリズム１２の下面に対向される。
【００３０】
この構成のファインダ視野枠１１及び表示ブロック１４では、図１２（ａ）に示すように、ファインダ視野枠１１のガイド片１１３の先端がミラーボックス６に設けたガイドリブ６３の内面に当接される。そして、後面固定板１４３の両端部１４３ａの小ネジ１４５を最大まで螺合させて両端部１４３ａをミラーボックス６のボス６４の後面に接した状態とする。この、組み立てられた状態では、図３に示したように、表示ブロック１４のＬＣＤ装置１４１の表示面から出射されて表示情報を表示する光は直角プリズム１４４によって直角上方に向けて屈折され、ファインダ視野枠１１の表示窓１１２内を進行されてペンタプリズム１２内に入射され、接眼レンズ構体１３によってファインダ視野内において視認することができる。
【００３１】
このとき、ＣＣＤ装置９が傾いて固定された場合やメインミラー１５やペンタプリズム１２が傾いて組み立てられた場合には、実施例１のようにファインダ装置で視認する被写体とＣＣＤ装置で撮影される被写体像との間に傾きが生じるため、ファインダ視野枠の傾きを調整するが、その際には、後面固定板１４３を固定している２つの小ネジ１４５の締結状態を調整する。すなわち、図１２（ａ）では、図示左側の小ネジ１４５の螺合状態を緩めてゆくと、緩めた左側の後面固定板１４３の端部は自身の弾性力によってボス６４の後面から離れる方向に弾性変形し、当該後面との間に間隙Ｃｘが生じる状態となる。そのため、後面固定板１４３はミラーボッスク６の後面に対して傾斜される状態となり、これに伴い表示ブロック１４と一体のファインダ視野枠１１はガイド片１１３がガイドリブ６３に案内されながらファインダ光軸の回りに時計方向に回転移動し、正立状態から傾けられることになる。この傾けられた状態は後面固定板１４３の両端部１４３ａにおける板厚方向の弾性力と小ネジ１４５の締結力との均衡によって保持される。図１２（ｂ）は図の右側の小ネジ１４５を緩めた状態であり、後面固定板１４３の右側の小ネジ１４５とボス６４との間に間隙Ｃｘが生じ、ファインダ視野枠１１は反時計回りに回転移動して左に傾いた状態となる。なお、図１２（ｃ）は左右の小ネジ１４５を等しく緩めた状態であり、左右の間隙Ｃが等しくなってファインダ視野枠１１は正立状態のまま後面側に平行移動されることになる。これはファインダ視野枠１１の全体を所望する位置に調整する場合に有効である。
【００３２】
このように、表示ブロック１４はファインダ視野枠１１と一体化されているので、表示ブロック１４のＬＣＤ装置１４１で表示される表示情報は常にファインダ視野枠１１の表示窓１１２に対して正立した状態にあり、実施例１のようにファインダ視野枠１１を傾けたときには当該ファインダ視野枠１１の傾きに追従して表示情報も傾くことになる。因みに、表示ブロック１４をファインダ視野枠１１と独立してミラーボックス６に固定した構造であると、実施例１のようにファインダ視野枠１１を回転移動して傾きを調整したときに表示窓１１２内に表示される表示情報が表示窓１１２に対して相対回転されるために傾斜されることになり、ファインダ装置を視認したときに違和感を感じることがあるがこれが防止できる。また、極端な場合には表示情報が表示窓１１２から外れてその一部がけられて見えなくなることもあるが、これも防止できる。
【００３３】
また、ファインダ視野枠１１の回転位置を調整することで、図８を参照して説明したように、ファインダ視野枠１１とＣＣＤ装置９との傾きを一致させることができ、ファインダ視野枠１１の視野窓内で視認されたと同じ傾き状態でＣＣＤ装置９による撮影が可能になり、撮影者が撮影したモニタ装置に表示される被写体像がファインダ視野枠内で視認した被写体像と異なる傾き状態になるという違和感を生じることがなくなる。またＣＣＤ装置９の傾きを調整する必要がないとともに、メインミラー１５やペンタプリズム１２の傾きを三次元的に調整する必要もなく、傾き調整を容易に行うことが可能になる。
【００３４】
以上の実施例では本発明をデジタル一眼レフカメラに適用しているが、銀塩フィルを用いる一眼レフにおいても、メインミラーやペンタプリズムが傾斜状態に支持されてファインダを通して見た被写体像に傾きが生じているときには、ファインダ視野枠を同様にして傾き調整することで、ファインダ視野枠の視野窓に対して被写体像を正立状態に見えるように構成することが可能である。
【図面の簡単な説明】
【００３５】
【図１】本発明の実施例のカメラの外観斜視図である。
【図２】実施例のミラーボックスの斜視図である。
【図３】図２のミラーボックスの光軸に沿った縦断面図である。
【図４】ミラーボックスの後面側の構成の部分分解斜視図である。
【図５】ミラーボックスの上面側の構成の部分分解斜視図である。
【図６】ファインダ視野枠の拡大斜視図である。
【図７】ファインダ視野枠の傾きを調整する状態を示す平面図である。
【図８】ファインダ視野枠とＣＣＤ装置の傾斜による被写体像の見え方の違いを説明するための模式図である。
【図９】実施例２のミラーボックスの上面側の構成の部分分解斜視図である。
【図１０】ファインダ視野枠及び表示ブロックの部分分解斜視図である。
【図１１】ファインダ視野枠と表示ブロックの拡大斜視図である。
【図１２】ファインダ視野枠の傾きを調整する状態を示す平面図である。
【符号の説明】
【００３６】
１  カメラボディ
８  シャッター装置
９  ＣＣＤ装置
１０  ピントガラス
１１  ファインダ視野枠
１２  ペンタプリズム
１３  接眼レンズ構体
１４  表示ブロック
１５  メインミラー
６１  枠部
６３  ガイドリブ
１１１  視野窓
１１２  表示窓
１１３  ガイド片
１４１  ＬＣＤ装置
１４２  前面固定板
１４３  後面固定板
１４４  直角プリズム
【図１】
2006065013.tif 000003
【図２】
2006065013.tif 000004
【図３】
2006065013.tif 000005
【図４】
2006065013.tif 000006
【図５】
2006065013.tif 000007
【図６】
2006065013.tif 000008
【図７】
2006065013.tif 000009
【図８】
2006065013.tif 000010
【図９】
2006065013.tif 000011
【図１０】
2006065013.tif 000012
【図１１】
2006065013.tif 000013
【図１２】
2006065013.tif 000014